(57)【特許請求の範囲】
【請求項１】
一端開放の所定以上長い風船状の柔軟で剛性のない皮膜部(2) を有し、その皮膜部(2) の閉塞端部に小頭部(1) 形成用の詰物(3) が挿入されると共に、その詰物(3) を含む閉塞端部が首状に閉塞されて、その付根部に首部(4) を有し、その首部を介し小頭部(1) の反対側に皮膜部(2) が肛門外に達する程度長く延在された脱肛防止補助具。
【請求項２】
一端開放の所定以上長い風船状のゴム皮膜(2a)を有し、そのゴム皮膜(2a)の閉塞端部に小頭部(1) 形成用の詰物(3) が挿入されると共に、その詰物(3) を含む閉塞端部が首状に閉塞されて、その付根部に首部(4) を有し、その首部を介し小頭部(1) の反対側にゴム皮膜(2a)による皮膜部(2) が延在された脱肛防止補助具。
【請求項３】
請求項２において、
前記詰物(3) がスポンジ体または綿を丸めたものからなる脱肛防止補助具。
【請求項４】
請求項２において、
前記詰物(3) が気体または液体あるいはゼリー状体からなる脱肛防止補助具。
【請求項５】
請求項１〜請求項４のいずれかにおいて、
前記小頭部(1) の断面が円形または楕円形に形成され、その最大直径が５mm〜２５mmであり、前記皮膜部(2) の厚みが１mm以下である脱肛防止補助具。
【発明の詳細な説明】
【０００１】
【発明の属する技術分野】
本発明は、肛門の外部に飛び出し易い内痔核を肛門内部に保持して、痔の治療効果を維持する脱肛防止補助具に関する。
【０００２】
【従来の技術】
直腸及びその下端の肛門は、図４（Ａ）の如く形成されている。即ち、直腸５の下端に肛門10が存在し、その肛門10と直腸５との間に歯状線６が存在する。また、歯状線６の直腸５側には、所謂クッション８が存在している。さらにこれらの外周には、内括約筋７及び図示しない外括約筋が取り巻いている。このクッション８において、図４（Ａ）の如く内痔核９が突出してくることがある。この内痔核９は、日常生活の中で肛門に様々な負担がかかり、直腸５のクッション８を支える組織が弛んだり切れることにより、そのクッション８自体が鬱血して大きくなるものである。
【０００３】
内痔核９が次第に大きくなるなると、図４（Ｂ）の如く排便時にその内痔核９が脱出し、その後自然にそれが肛門内に戻っていく。ところがこの内痔核９がさらに大きくなり、図４（Ｃ）の状態になると、肛門外に脱出したままとなり、指で押し込まないと元に戻らない。このような状態を脱肛という。
このような脱肛は、その上部側が肛門の不随意筋によって締め付けられている。そして、その内痔核９が外に出た状態のままにしておくと、さらに悪化し痔が進行する原因となる（岩垂純一著・痔と上手につきあう本・株式会社講談社発行より）。
【０００４】
従来の脱肛防止補助具はゴムの成形体等からなり、肛門の内部に挿入される頭部と肛門の外部に保持されるストッパ部と両者間に位置する首部とを有する。そのうちストッパ部は、頭部及び首部の軸線に直交してワイングラスの台座状に形成されている。その使用には、先ず脱肛を指で肛門内に戻し、次いで従来の脱肛防止補助具の頭部を肛門内に挿入する。すると、肛門が首部を締め付けストッパ部が肛門の外に位置される。
【０００５】
【発明が解決しようとする課題】
従来のゴム等による一体形成型の脱肛防止補助具は、首部及びストッパ部がある程度変形し得るとしても剛性を有するため、それを装着すると肛門に違和感を常に感じる。それと共に、肛門の締め付け部の長さは体格や体型によって異なるため、頭部を挿入したときストッパ部が肛門からより長く出過ぎたり、頭部がより奥に入り過ぎたりし、その個人差を吸収することができない。
【０００６】
また、ストッパ部等が肛門の外に突出しているため、着座したり歩行する度にそれが肛門を刺激して痛みを生じ易い。
さらに、剛性のあるストッパ部が尻の外面に出ているため、いわゆるパンティーラインにストッパ部の形が表れ、体裁が悪い欠点がある。
また、その補助具の装着状態では、直腸内のガスを外部に容易に放出でき難い欠点がある。
そこで本発明者は、各種実験研究の結果、違和感がなく確実に脱肛を防止し得る理想的な脱肛防止補助具を開発した。
【０００７】
【課題を解決するための手段】
請求項１に記載の本発明は、一端開放の所定以上長い風船状の柔軟で剛性のない皮膜部(2) を有し、その皮膜部(2) の閉塞端部に小頭部(1) 形成用の詰物(3) が挿入されると共に、その詰物(3) を含む閉塞端部が首状に閉塞されて、その付根部に首部(4) を有し、その首部を介し小頭部(1) の反対側に皮膜部(2) が肛門外に達する程度長く延在された脱肛防止補助具である。
【０００８】
請求項２に記載の本発明は、一端開放の所定以上長い風船状のゴム皮膜(2a)を有し、そのゴム皮膜(2a)の閉塞端部に小頭部(1) 形成用の詰物(3) が挿入されると共に、その詰物(3) を含む閉塞端部が首状に閉塞されて、そこに首部(4) を有し、その首部を介し小頭部(1) の反対側にゴム皮膜(2a)による皮膜部(2) が延在された脱肛防止補助具である。
【０００９】
請求項３に記載の本発明は、請求項２において、
前記詰物(3) がスポンジ体または綿を丸めたものからなる脱肛防止補助具である。
請求項４に記載の本発明は、請求項２において、
前記詰物(3) が気体または液体あるいはゼリー状体からなる脱肛防止補助具である。
請求項５に記載の本発明は、請求項１〜請求項４のいずれかにおいて、
前記小頭部(1) の断面が円形または楕円形に形成され、その最大直径が５mm〜２５mmであり、前記皮膜部(2) の厚みが１mm以下である脱肛防止補助具である。
【００１０】
【発明の実施の形態】
次に、図面に基づいて本発明の実施の形態につき説明する。
図１は本発明の脱肛防止補助具の実施の形態の一例を示す縦断面図である。
この例は、断面楕円状の小頭部１とその長軸側の一端に連接された皮膜部２とを有する。小頭部１は、一端が開放された所定以上長い風船状のゴム皮膜２ａの閉塞端部に詰物３を挿入し、その詰物３を含む閉塞端部が首状に閉塞されて、そこに首部４を有するものである。そして、その首部４に対し小頭部１の反対側にゴム皮膜２ａによる皮膜部２が延在されている。
【００１１】
このゴム皮膜２ａの厚みは、好ましくは１ｍｍ以下とする。このゴム皮膜２ａは柔軟で剛性が全くないものであり、一例としてその厚みは厚くても手術用の手袋の厚みであり、薄くはコンドーム等の厚みでもよい。
次に、詰物３は独立発泡体からなるスポンジ体または綿を丸めたもの、さらには水その他の液体あるいは空気や酸素等の気体、さらにはゼリー状体とすることができる。気体や液体あるいはゼリー状体の場合は、首部４を気密または液密構造となるようにゴム風船の端部を溶着または接着あるいは締結することが好ましい。
【００１２】
【使用方法】
先ず、脱肛した痔核を指で肛門内に挿入すると共に、その内部に痔薬を施す。次いで、図３の如く本脱肛防止補助具のゴム皮膜２ａ内に指11を挿入し、その先端を首部４に付き当てた状態でゴム皮膜２ａを保持して指11ごと肛門10内に挿入する。すると、小頭部１が図２の如く肛門10の内奥部に装着される。そして皮膜部２が肛門10に挟持され、その摩擦抵抗によって皮膜部２が外部に戻ることはない。実験によれば歩行や着座さらにはスポーツ等を行っても、本補助具の小頭部１が外部にでることはなく、それによって痔核は肛門の内部に保持される。これは小頭部１が脱肛する痔核を腸壁内部に閉じ込める作用によるものである。
【００１３】
また、腸内に発生したガスはその圧力の上昇により、肛門10と皮膜部２との隙間から容易に放出される。そのとき小頭部１が肛門10から外部に飛び出すことはなかった。
次に、排便時には皮膜部２の先端部を引っ張ることにより、本脱肛防止補助具を肛門から引き抜くことが容易にできる。
【００１４】
上記実施の形態において、小頭部１の断面における長径Ｌ１は１５ｍｍ程度とし、短径Ｌ２は１２ｍｍ程度とし、Ｌ３は５０〜１００ｍｍ程度とした。
なお、皮膜部２は上記実施の形態に限定されるものでは勿論なく、紐状または帯状のものであってもよく、要は柔軟で剛性のないものであり、肛門の締め付けによって違和感を生じないものであればよい。また、皮膜部２の長さは小頭部１を肛門内に挿入したとき、肛門が締め付ける長さプラスそれから外部に飛び出て、それを摘むことができる程度のものであればよい。さらに小頭部１の最大直径は５〜２５ｍｍ程度が好ましいと共に、皮膜部２の厚みは１ｍｍ以下でかつ違和感を生じない可能な限り薄いものが好ましい。
【００１５】
【発明の作用・効果】
本発明の脱肛防止補助具は、小頭部１が肛門内に挿入されるとそれに連設された柔軟で剛性のない一端開放の風船状の皮膜部２が肛門の不随意筋によって締め付けられる。それにより小頭部１自体が外部へ飛び出すことを防止し、それに基づいて痔核が肛門外に飛び出ることを有効に防止できる。
しかも、肛門に締め付けられる皮膜部２は柔軟で剛性のない一端開放の風船状のものからなるため、肛門に違和感を感じることがない。それと共に、肛門外に出た皮膜部２部分はパンツ等の布地に馴染み、いわゆるパンティーラインを変形することがない。
【００１６】
そして、肛門で締め付けられる皮膜部２は柔軟で剛性がない一端開放の風船状のものからなるため、直腸内のガスを本補助具を装着した状態で外部に放出することができる。そのため、健康を害さない補助具となり得る。
また、皮膜部２は肛門外に達する程度以上の長さであるから、その肛門外の部分を引っ張ることにより、本脱肛防止補助具を外部に容易に取り出すことができる。
しかも、その皮膜部２は柔軟で剛性のない一端開放の風船状に形成されているから、その開放端から指を内部に挿入し、その先端部が小頭部１に突き当たるようにして、指を肛門内に挿入することにより、小頭部１を肛門内部に挿入することが可能となり且つ、衛生的で指を汚すことがない。
【００１７】
請求項２に記載の本発明は、一端開放の所定以上長い風船状のゴム皮膜２ａを有し、その閉塞端部に小頭部１形成用の詰物３が挿入されると共に、その詰物３を含む閉塞端部が首状に閉塞された首部４を有するのであるから、製造が容易で且つ小頭部１の表面と皮膜部２とを一体に形成でき、丈夫で肛門への装着性の良い脱肛防止補助具を提供できる。
また、ゴム皮膜２ａは一端が開放された所定以上長い風船状のものであるから、その開放端から指を内部に挿入し、その先端が小頭部１に突き当たるようにして指を肛門内に挿入することにより、小頭部１を肛門内部に容易に挿入することが可能となり且つ、衛生的で指を汚すことがない。
【００１８】
請求項３に記載の本発明によれば、請求項２において詰物３がスポンジ体または綿を丸めたものからなるため、本補助具を肛門に挿入及び取り出す際に容易に変形し、苦痛の伴わない脱肛防止補助具を提供できる。
請求項４に記載の本発明は、詰物３が気体または液体あるいはゼリー状体からなるため、本補助具の肛門への挿脱がより容易になる。即ち、挿脱の際により肛門に馴染んで挿脱することが可能となる。
請求項５に記載の本発明によれば、本脱肛防止補助具を肛門へ挿脱することが容易で且つその際に痛みを伴うことがない。
【図面の簡単な説明】
【図１】本発明の脱肛防止補助具の縦断面図。
【図２】同脱肛防止補助具の装着状態を示す説明図。
【図３】同脱肛防止補助具の装着手順を示す説明図。
【図４】直腸５及び歯状線６における内痔核９の説明図。
【符号の説明】
１  小頭部
２  皮膜部
２ａ  ゴム皮膜
３  詰物
４  首部
５  直腸
６  歯状線
７  内括約筋
８  クッション
９  内痔核
10  肛門
11  指
【図１】
0003951209.tif 000002
【図２】
0003951209.tif 000003
【図３】
0003951209.tif 000004
【図４】
0003951209.tif 000005